(57)【要約】  人体胸部寸法の計測方法、ブラジャーサイズの選択及び実現方法であって、測定した胸部計測パラメータをユーザスマート端末によってサーバにアップロードし、サーバは、該胸部計測パラメータに対して分析、分類、マッチングを行い、対応するブラジャーサイズを得て、得られたブラジャーサイズをスマート端末に送信し、それによって、ストラップの長さ、カップ、乳房の幅及び乳房の高さを含む正確なブラジャーサイズをユーザに提供することができ、ユーザがより体に合うブラジャーを選択することを容易にする。  【選択図】図１３
2020510271.tif 000002
【特許請求の範囲】
【請求項１】
人体胸部寸法の計測方法、ブラジャーサイズの選択及び実現方法であって、ユーザが測定した胸部計測パラメータをサーバにアップロードし、サーバが受信した胸部計測パラメータを分析してデータベースマトリックスとマッチングし、マッチングして得られた結果を対応するブラジャーサイズの結果とし、
前記胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ及び乳房の柔らかさの種類を含み、
前記データベースマトリックスは、脇下の皮下脂肪厚さ、乳房形態の種類、体格指数ＢＭＩ及び乳房の柔らかさの種類で構築されるものであり、
前記ブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さであり、前記ストラップの長さは、下胸囲のパラメータによって決定され、前記乳房の幅は、乳房の幅のパラメータによって決定され、前記乳房の高さは、乳房の高さのパラメータによって決定され、前記カップは、上胸囲、下胸囲、乳房の円弧長さによって決定された後にデータベースマトリックスによって修正されたものであることを特徴とする、人体胸部寸法の計測方法、ブラジャーサイズの選択及び実現方法。
【請求項２】
前記胸部計測パラメータは、乳房の２Ｄ又は３Ｄ写真をさらに含み、サーバは、受信した胸部計測パラメータを分析するとき、乳房の２Ｄ又は３Ｄ写真における乳房に対する識別、強化、分割を行い、ユーザから提供された乳房形態の種類、体格の種類と比較して分析し、ユーザから提供された胸部パラメータの信頼性を判断し、パラメータを校正することを特徴とする、請求項１に記載の人体胸部寸法の計測方法、ブラジャーサイズの選択及び実現方法。
【請求項３】
人体胸部寸法の計測方法、ブラジャーサイズの選択及び実現方法であって、具体的には、以下のステップ１〜ステップ５を含み、
ステップ１において、ユーザは、乳房下垂状態のパラメータを測定し、下垂状態のパラメータをスマート端末によってサーバにアップロードし、
乳房下垂状態のパラメータは、下垂及び非下垂を含み、乳首を通る水平線が乳房の下境界線よりも高い場合、乳房が非下垂であり、乳首を通る水平線が乳房の下境界線と重なる又はそれよりも低い場合、乳房が下垂であり、
ステップ２において、サーバは、ユーザから提供された乳房下垂状態のパラメータに基づいてユーザが測定する必要がある他の胸部計測パラメータの測定方法をユーザに送信し、前記胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ及び乳房の柔らかさの種類を含み、
乳房下垂状態のパラメータが非下垂である場合、前記上胸囲は、立位で巻き尺が両側乳首又は胸部最突出点の平面を通って人体の胴体を一周する周長であり、
前記下胸囲は、立位で巻き尺が両側乳房下部の折り目平面を通って人体の胴体を一周する周長であり、
脇下胸囲は、立位で腰を両手でつかみ、巻き尺が両側脇下の平面を通って人体の胴体を一周する周長であり、
脇下の皮下脂肪厚さは、中腋窩線と乳首水平線との境界点で人差し指と親指が局所の全層皮膚及び皮下軟組織を掴んだときに測定した親指と人差し指との距離であり、
片側乳房の円弧長さと幅を測定するときに、片手で外側から内側へ乳房を押し、乳房と前胸壁との間の組織の境界線を取得し、片手で内側から外側へ乳房を押し、乳房と側胸壁との間の組織の境界線を取得し、そして、乳首水平線と、乳房と前胸壁との間の組織の境界線との境界点、及び、乳首水平線と、乳房と側胸壁との間の組織の境界線との境界点を取得し、乳首を通った前述２つの境界点間の長さを測定したものを乳房の円弧長さとし、前述２つの境界点間の直線距離を乳房の幅とし、
乳房の高さは、僅かに前へ軽く引いた状態で直接測定した乳首基部から胸壁までの垂直距離であり、
乳房形態の種類は、円盤状、半球状、水滴状、円錐形、管状、くちばし状を含み、
乳房の柔らかさは、半定量的に評価することができ、超柔軟、柔軟、適度、硬質に分けられ、
体格指数ＢＭＩは、体重（Ｋｇ）／身長（ｍ）の二乗であり、それぞれやせ、標準、太り及び肥満に分けられ、ユーザの体型を判断するためのものであり、
乳房下垂状態が下垂である場合、上胸囲、下胸囲、脇下胸囲及び片側乳房の円弧長さと幅を測定するとき、両手で胸部を持ち上げて測定し、
ステップ３において、ユーザは測定した胸部計測パラメータをスマート端末によってサーバにアップロードし、上胸囲、下胸囲、脇下胸囲、脇下の皮下脂肪厚さ、片側乳房の円弧長さと幅、乳房の高さ、乳房形態の種類、体格指数ＢＭＩ、乳房の柔らかさの種類のパラメータを複数回の測定値の平均値としてサーバにアップロードし、
ステップ４において、サーバは、受信した胸部計測パラメータを分析し、次にデータベースマトリックスとマッチングし、マッチングして得られた結果を対応するブラジャーサイズの結果とし、
前記データベースマトリックスは、脇下の皮下脂肪厚さ、乳房形態の種類、体格指数ＢＭＩ、乳房の柔らかさの種類で構築されるものであり、
サーバは、ユーザから提供された脇下の皮下脂肪厚さ、乳房形態の種類、体格指数ＢＭＩ及び乳房の柔らかさの種類の４つのパラメータを分析し、続いて分析済みの脇下の皮下脂肪厚さ、乳房形態の種類、体格指数ＢＭＩ及び乳房の柔らかさの種類をデータベースマトリックスにおけるデータとマッチングし、マッチングした結果に応じてカップの大きさを調整し、ブラジャーサイズの最終結果を取得し、
ステップ５において、サーバは、ブラジャーサイズの結果を呼び出してユーザのスマート端末に送信し、
ユーザが取得したブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さであることを特徴とする、請求項１又は２に記載の人体胸部寸法の計測方法、ブラジャーサイズの選択及び実現方法。
【請求項４】
ステップ６とステップ７とをさらに含み、
ステップ６において、ユーザは、対応するサイズのブラジャーの着用状況をスマート端末によってサーバにフィードバックし、
ユーザは、推奨サイズに応じてブラジャーを選択又は注文し、実際に着用した後、ブラジャーサイズの着用効果をスマート端末によってサーバにフィードバックし、
ステップ７において、サーバは、ユーザによるフィードバック情報に基づいてデータベースの最適化処理を行い、
ユーザによるフィードバックデータ及びユーザが測定したパラメータデータに基づき、パラメータを修正することでデータベースを最適化させることを特徴とする、請求項３に記載の人体胸部寸法の計測方法、ブラジャーサイズの選択及び実現方法。
【発明の詳細な説明】
【技術分野】
【０００１】
本発明は、人体胸部寸法の計測方法、ブラジャーサイズの選択及び実現方法に関する。
【背景技術】
【０００２】
女性用ブラジャーサイズに関する規則は、１９３５年に確立されてから、工業化生産を促進し、ほとんどのニーズを満たしている。該ブラジャーサイズに関する規則は、胸部の測定及び計算を簡素化させ、カップやスタイルの数を減少させるが、女性の胸の形がさまざまであるため、測定結果が不正確になったり、間違ったサイズを選んだりする場合がある。
【０００３】
数年前の調査の結果として、８０％以上の女性が不適正なサイズのブラジャーを着用していることを見出した。数字は誇張しているように聞こえるかもしれない。ブラジャーは、女性が毎日着用しているものであるので、体に合うものはいずれ見つかるだろうと思われるが、実際的には、思春期、青年期、中高年期、老年期といったライフサイクル全体から見れば、現在、大多数の女性は、ブラジャーサイズを間違える迷惑を経験したことがあるか、又は、経験している。
【０００４】
ブラジャーのストラップに弾性材料が使用されているので、長さの測定方法がシンプルであり、自分の緩さの好みに応じてユーザが自分で調整できるが、ブラジャーのカップサイズが体に合わないことはよくある。主に、以下のような場合がある。
【０００５】
（１）女性乳房の形態が様々であるため、乳房の体積が近いであっても、同じカップのブラジャーについては、半球形又は水滴形の乳房のユーザに合うが、円盤状の乳房のユーザの場合は、乳房組織の分布範囲がカップを超えるため、一部の乳房組織がカップに収まられておらず、同時に、カップの先が余っていることになってしまい、管状の乳房又は明らかに垂れた乳房のユーザの場合は、乳房組織がブラジャーで圧迫され、乳腺疾患を誘発してしまうことがある。
【０００６】
（２）主として発育や遺伝的要因により、または疾患の原因で一側の乳房が完全に又は部分的に切除されたため、女性の両側の乳房の大きさが非対称になることがあり、しかし、測定したサイズが両側の平均値であるため、一側の乳房がカップで圧迫され、他側のカップが余っていることになってしまう。
【０００７】
（３）女性乳房の両側の高さが非対称である場合、一般的に測定したサイズが過大であるので、カップの乳房に対する被覆性が不十分である。
【０００８】
（４）中高年女性では、通常、程度が異なるが、乳腺下垂が発生しているため、測定したサイズの数値が小さくなり、着用するブラジャーのカップが小さくなり、これにより、一部の乳房組織が脇下に移動し、腋窩の局所に軟組織が蓄積され、いわゆる「副乳」が形成される。
【０００９】
（５）乳房の胸壁に対する位置については、乳房が一般的に胸壁の２〜６つ目のリブに位置し、同じ体積の乳房について、乳房の付着位置が上にずれると、視覚的に大きくなり、乳房の付着位置が下にずれると、視覚的に小さくなり、また、乳房の付着位置が上にずれると、大胸筋の関与度が大きくなり、乳房の付着位置が下にずれると、大胸筋の関与度が小さくなる。
【００１０】
（６）ブランドによってサイズや規格が異なり、ヨーロッパ版と日本版とが異なる以外、ブランドメーカーが異なると、サイズも同じではなく、ユーザが購入するとき、下着であるので、試着にも制限があり、様々な状態で長時間に試着できるわけがなく、そのため、サイズを正しく選択する確率がさらに低下してしまう。
【００１１】
（７）ブラジャーのサイズ及びカップ形状のデータについては、人々から所定数のモデルを選択して測定し、３Ｄ走査を行ってデータを抽出して、ブラジャーのサイズ及びカップ形状のシリーズを設計するため、代表性が十分ではない。
【００１２】
女性のブラジャーが体に合わなかったり、サイズが間違ったりする根本的な原因は、１９３５年から今まで使用されているブラジャー計測標準が簡単すぎることにあり、ブラジャーの設計者や生産者がより多くのサイズのブラジャーを製造しようとしても、より適切なサイズ参照体系がない。
【００１３】
本発明は、上記事情に鑑み、ユーザが体に合うブラジャーを容易に選択できるように、従来の測定方法及び表現方式の欠陥を解消し、女性それぞれに応じた胸部の高精度測定を実現する人体胸部寸法の計測方法、ブラジャーサイズの選択及び実現方法を提供する。
【発明の概要】
【発明が解決しようとする課題】
【００１４】
本発明の目的は、ユーザが体に合うブラジャーを容易に選択できるように、より正確なブラジャーサイズを取得することを可能にする胸部測定手段をユーザに提供するための人体胸部寸法の計測方法、ブラジャーサイズの選択及び実現方法を提供することである。
【課題を解決するための手段】
【００１５】
上記目的を実現するために、本発明が使用する技術案は、以下のとおりである。
【００１６】
人体胸部寸法の計測方法、ブラジャーサイズの選択及び実現方法であって、ユーザが測定した胸部計測パラメータをサーバにアップロードし、サーバが受信した胸部計測パラメータを分析してデータベースマトリックスとマッチングし、マッチングして得られた結果を対応するブラジャーサイズの結果とし、前記胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ及び乳房の柔らかさの種類を含み、前記データベースマトリックスは、脇下の皮下脂肪厚さ、乳房形態の種類、体格指数ＢＭＩ及び乳房の柔らかさの種類で構築されるものであり、前記ブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さであり、前記ストラップの長さは、下胸囲のパラメータによって決定され、前記乳房の幅は、乳房の幅のパラメータによって決定され、前記乳房の高さは、乳房の高さのパラメータによって決定され、前記カップは、上胸囲、下胸囲、乳房の円弧長さによって決定された後にデータベースマトリックスによって修正されたものである。
【００１７】
前記胸部計測パラメータは、乳房の２Ｄ又は３Ｄ写真をさらに含み、サーバは、受信した胸部計測パラメータを分析するとき、乳房の２Ｄ又は３Ｄ写真における乳房に対する識別、強化、分割を行い、ユーザから提供された乳房形態の種類、体格の種類と比較して分析し、ユーザから提供された胸部パラメータの信頼性を判断し、パラメータを校正する。
【００１８】
前記方法は、具体的には、ステップ１〜ステップ５を含み、
ステップ１において、ユーザは、乳房下垂状態のパラメータを測定し、下垂状態パラメータをスマート端末によってサーバにアップロードし、
乳房下垂状態のパラメータは、下垂及び非下垂を含み、乳首を通る水平線が乳房の下境界線よりも高い場合、乳房が非下垂であり、乳首を通る水平線が乳房の下境界線と重なる又はそれよりも低い場合、乳房が下垂であり、
ステップ２において、サーバは、ユーザから提供された乳房下垂状態のパラメータに基づいてユーザが測定する必要がある他の胸部計測パラメータの測定方法をユーザに送信し、前記胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ及び乳房の柔らかさの種類を含み、
乳房下垂状態のパラメータが非下垂である場合、
前記上胸囲は、立位で巻き尺が両側乳首又は胸部最突出点の平面を通って人体の胴体を一周する周長であり、
前記下胸囲は、立位で巻き尺が両側乳房下部の折り目平面を通って人体の胴体を一周する周長であり、
脇下胸囲は、立位で腰を両手でつかみ、巻き尺が両側脇下の平面を通って人体の胴体を一周する周長であり、
脇下の皮下脂肪厚さは、中腋窩線と乳首水平線との境界点で人差し指と親指が局所の全層皮膚及び皮下軟組織を掴んだときに測定した親指と人差し指との距離であり、
片側乳房の円弧長さと幅を測定するときに、片手で外側から内側へ乳房を押し、乳房と前胸壁との間の組織の境界線を取得し、片手で内側から外側へ乳房を押し、乳房と側胸壁との間の組織の境界線を取得し、そして、乳首水平線と、乳房と前胸壁との間の組織の境界線との境界点、及び、乳首水平線と、乳房と側胸壁との間の組織の境界線との境界点を取得し、乳首を通った前述２つの境界点間の長さを測定したものを乳房の円弧長さとし、前述２つの境界点間の直線距離を乳房の幅とし、
乳房の高さは、僅かに前へ軽く引いた状態で直接測定した乳首基部から胸壁までの垂直距離であり、
乳房形態の種類は、円盤状、半球状、水滴状、円錐形、管状、くちばし状を含み、
乳房の柔らかさは、半定量的に評価することができ、超柔軟、柔軟、適度、硬質に分けられ、
体格指数ＢＭＩは、体重（Ｋｇ）／身長（ｍ）の二乗であり、それぞれやせ、標準、太り及び肥満に分けられ、ユーザの体型を判断するためのものであり、
乳房下垂状態が下垂である場合、上胸囲、下胸囲、脇下胸囲及び片側乳房の円弧長さと幅を測定するとき、両手で胸部を持ち上げて測定し、
ステップ３において、ユーザは、測定した胸部計測パラメータをスマート端末によってサーバにアップロードし、上胸囲、下胸囲、脇下胸囲、脇下の皮下脂肪厚さ、片側乳房の円弧長さと幅、乳房の高さ、乳房形態の種類、体格指数ＢＭＩ、乳房の柔らかさの種類のパラメータを複数回の測定値の平均値としてサーバにアップロードし、
ステップ４において、サーバは、受信した胸部計測パラメータを分析し、次にデータベースマトリックスとマッチングし、マッチングして得られた結果を対応するブラジャーサイズの結果とし、
前記データベースマトリックスは、脇下の皮下脂肪厚さ、乳房形態の種類、体格指数ＢＭＩ、乳房の柔らかさの種類で構築されるものであり、
サーバは、ユーザから提供された脇下の皮下脂肪厚さ、乳房形態の種類、体格指数ＢＭＩ及び乳房の柔らかさの種類の４つのパラメータを分析し、続いて分析済みの脇下の皮下脂肪厚さ、乳房形態の種類、体格指数ＢＭＩ及び乳房の柔らかさの種類をデータベースマトリックスにおけるデータとマッチングし、マッチングした結果に応じてカップの大きさを調整し、ブラジャーサイズの最終結果を取得し、
ステップ５において、サーバは、ブラジャーサイズの結果を呼び出してユーザのスマート端末に送信し、
ユーザが取得したブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さである。
【００１９】
前記方法は、ステップ６とステップ７とをさらに含み、
ステップ６において、ユーザは、対応するサイズのブラジャーの着用状況をスマート端末によってサーバにフィードバックし、
ユーザは、推奨サイズに応じてブラジャーを選択又は注文し、実際に着用した後、ブラジャーサイズの着用効果をスマート端末によってサーバにフィードバックし、
ステップ７において、サーバは、ユーザによるフィードバック情報に基づいてデータベースの最適化処理を行い、
ユーザによるフィードバックデータ及びユーザが測定したパラメータデータに基づき、パラメータを修正することでデータベースを最適化させる。
【発明の効果】
【００２０】
本発明は、測定した胸部計測パラメータをユーザのスマート端末によってサーバにアップロードし、サーバにより該胸部計測パラメータに対して分析、分類、マッチングを行い、対応するブラジャーサイズを得て、得られたブラジャーサイズをスマート端末に送信することで、ストラップの長さ、カップ、乳房の幅及び乳房の高さを含む正確なブラジャーサイズをユーザに提供することができ、ユーザがより体に合うブラジャーを選択することを容易にする。
【図面の簡単な説明】
【００２１】
【図１】立位での上胸囲、下胸囲及び脇下胸囲の測定模式図である。
【図２】立位での脇下の皮下脂肪厚さの測定模式図である。
【図３】図３Ａは片側乳房の円弧長さと幅の測定模式図１であり、図３Ｂは片側乳房の円弧長さと幅の測定模式図２であり、図３Ｃは片側乳房の円弧長さの測定模式図であり、図３Ｄは片側乳房の幅の測定模式図である。
【図４】臥位での上胸囲の測定模式図である。
【図５】臥位での片側乳房の円弧長さの測定模式図である。
【図６】胸部が下垂した人の上胸囲の測定模式図である。
【図７】胸部が下垂した人の片側乳房の円弧長さの測定模式図である。
【図８】乳房形態の種類である。
【図９】図９Ａは非対称乳房タイプ１であり、図９Ｂは非対称乳房タイプ２であり、図９Ｃは非対称乳房タイプ３であり、図９Ｄは非対称乳房タイプ４であり、図９Ｅは非対称乳房タイプ５である。
【図１０】図１０Ａは乳房下垂の模式図１であり、図１０Ｂは乳房下垂の模式図２であり、図１０Ｃは乳房下垂の模式図３であり、図１０Ｄは乳房下垂の模式図４である。
【図１１】乳房の高さを直接測定する場合の模式図である。
【図１２】ブラジャーサイズを取得するフローチャートである。
【図１３】胸部計測パラメータを処理するフローチャートである。
【発明を実施するための形態】
【００２２】
本発明の技術的内容、構造的特徴、達成する目的及び効果を詳細に説明するために、以下、明細書の図面を参照しながら実施例を挙げて詳細に説明する。
【００２３】
図１〜図１３に示すように、本発明には、人体胸部寸法の計測方法、ブラジャーサイズの選択及び実現方法が開示されている。ここで、測定した胸部計測パラメータをユーザのスマート端末によってサーバにアップロードし、サーバにより該胸部計測パラメータに対して分析、分類、マッチングを行い、対応するブラジャーサイズを得て、そして、得られたブラジャーサイズをスマート端末に送信することで、ストラップの長さ、カップ、乳房の幅及び乳房の高さを含む正確なブラジャーサイズをユーザに提供することができ、ユーザがより体に合うブラジャーを選択することを容易にする。本発明の方法は、具体的には、ステップ１〜ステップ５を含む。
【００２４】
ステップ１において、ユーザが乳房下垂状態のパラメータを測定し、下垂状態のパラメータをスマート端末によってサーバにアップロードする。
【００２５】
図１０Ａ〜図１０Ｄに示すように、乳房下垂状態のパラメータは、下垂と非下垂を含み、乳首を通る水平線１が乳房の下境界線２よりも高い場合、乳房が非下垂であり、乳首を通る水平線１が乳房の下境界線２と重なる又はそれよりも低い場合、乳房が下垂である。
【００２６】
ステップ２において、サーバは、ユーザから提供された乳房下垂状態のパラメータに基づいてユーザが測定する必要がある他の胸部計測パラメータの測定方法をユーザに送信し、必要に応じて、ユーザの測定をより直観的にするように、測定模式図をユーザに送信してもよい。
【００２７】
ユーザが測定する必要がある胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ、乳房の柔らかさの種類及び乳房の２Ｄ又は３Ｄ像を含む。
【００２８】
ユーザが各胸部計測パラメータを測定するとき、上半身の服や物品を取り外し、両足を肩幅に広げてまっすぐに立つ体位、胴体前傾位及び水平臥位から選ばれるいずれか１つの体位で測定する。乳房が下垂していない人の場合、図１〜図５に示すように、自分で又は他人が協力して測定することができる。図１０Ａ〜図１０Ｄに示すような乳房下垂者の場合、図６及び図７に示すように、ユーザが乳房の下垂部分全体を乳房下溝よりも高くするまで乳房を両手で持ち上げながら、他人が協力して測定する。
【００２９】
図１に示すように、立位で上胸囲を巻き尺で測定する場合、巻き尺が両側乳首又は胸部の最突出点の平面を通って人体胴体を一周するようにする必要があり、このように得られた周長は上胸囲となる。立位で下胸囲を測定する場合、巻き尺が両側乳房下部の折り目平面を通って人体胴体を一周し、このように得られた周長は、下胸囲となる。立位で脇下胸囲を測定する場合、両手で腰をつかみ、巻き尺が両側脇下の平面を通って人体胴体を一周する必要があり、このように得られた周長は、脇下胸囲となる。脇下胸囲は、胸部の筋肉の発達状況を判断し、且つフルカップのブラジャーパラメータを作成するためのものである。
【００３０】
上胸囲、下胸囲及び脇下胸囲は、たらふく食べた後又は最大限の深呼吸の最後に極大値となり、空腹又は最大限の呼気の最後に極小値となる。しかし、実際に測定する過程において、上胸囲、下胸囲及び脇下胸囲は、いずれも食べてから２時間後に、均一に呼吸する状態で測定した値を基準とする。
【００３１】
図２は、脇下の皮下脂肪厚さの測定模式図であり、図２に示すように、脇下の皮下脂肪厚さとは、中腋窩線と乳首水平線との境界点で人差し指と親指が局所の全層皮膚及び皮下軟組織を掴んだときに測定した親指と人差し指との距離を意味する。
【００３２】
図３Ａ−図３Ｄは、片側乳房の円弧長さと幅の測定模式図であり、測定するときに、片手で外側から内側へ乳房を押し、乳房と前胸壁との間の組織の境界線３を取得し、片手で内側から外側へ乳房を押し、乳房と側胸壁との間の組織の境界線４を取得し、そして、乳首水平線と、乳房と前胸壁との間の組織の境界線３との境界点、及び、乳首水平線と、乳房と側胸壁との間の組織の境界線４との境界点を取得し、乳首を通った前述２つの境界点間の長さを測定したものが乳房の円弧長さとなり、前述２つの境界点間の直線距離が乳房の幅となる。片側乳房の円弧長さ、乳房の幅を測定し、乳房形態と組み合わせることにより、乳房の略体積を取得することができ、乳房体積を取得すると、豊胸術又は乳房縮小手術の効果、ダイエットや体重増加の効果、乳房腫瘍又は膿瘍の成長速度を計ったり、カップの選択を指導したりすることができ、なお、片側乳房の円弧長さ、乳房の幅は、一般的に使用される巻き尺で測定できる。
【００３３】
図１１は、乳房の高さを直接に測定する場合の模式図であり、前記乳房の高さとは、僅かに前へ引いた状態で直接測定した乳首基部から胸壁までの垂直距離を意味する。
【００３４】
図８に示すように、前記乳房形態の種類は、円盤状、半球状、水滴状、円錐形、管状、くちばし状を含み、該乳房形態は、ユーザが自分で判断して提供してもよい。
【００３５】
前記乳房の柔らかさは、半定量的に評価することができ、たとえば超柔軟、柔軟、適度、硬質に分けられる。
【００３６】
体格指数ＢＭＩは、体重（Ｋｇ）／身長（ｍ）の二乗であり、ユーザの体型がスリムであるか又は肥満であるかを判断するものである。
【００３７】
ステップ２において、ユーザが測定した胸部計測パラメータをスマート端末によってサーバにアップロードする。
【００３８】
ユーザは、測定した胸部計測パラメータを携帯電話、コンピュータなどのスマート端末に入力し、スマート端末によってこれらのデータをサーバに伝送する。アップロードするパラメータは、複数回測定したものの平均値であってもよい。たとえば、実際に使用する際、パラメータ値ごとに３回測定し、そして、３回の測定値の平均値をスマート端末によってサーバにアップロードしてもよく、パラメータごとに３回測定し、３回の測定値をスマート端末によってサーバにアップロードし、サーバによってそれらの平均値を算出するようにしてもよい。
【００３９】
ステップ３において、サーバが受信した胸部計測パラメータを分析して分類した後、データベースマトリックスとマッチングし、マッチングして得られた結果を対応するブラジャーサイズ結果とする。
【００４０】
前記データベースマトリックスは、脇下の皮下脂肪厚さ、乳房形態の種類、体格指数ＢＭＩ、及び乳房の柔らかさの種類から構成される。該データベースマトリックスは、各種文献に記載された信頼性が高い対応するタイプの人々の実測数値を収集して構築されるものである。前記実測数値には、ユーザがスマート端末によってサーバに提供した実測データも含む。前記した各種文献の信頼性は、文献の権威性、データサンプルの容量、人間の個体群や国家の多様性によって決定される。
【００４１】
ブラジャーサイズは、ストラップの長さ、カップ、乳房の幅及び乳房の高さを含み、ストラップの長さは、ユーザから提供された下胸囲のパラメータによって決定され、カップは、ユーザから提供された上胸囲パラメータ、下胸囲のパラメータ及び乳房の円弧長さのパラメータによって共同で決定され、乳房の幅は、ユーザから提供された乳房の幅によって決定され、乳房の高さは、ユーザから提供された乳房の高さのパラメータによって決定される。そのうち、カップの間隔は、２．５４センチ又は１インチから１．２７センチ又は０．５インチに調整され、カップの大きさは、依然としてＡＢＣＤＥＦＧＨＩで示されているが、ハーフサイズが含まれる。
【００４２】
サーバは、ユーザから提供された脇下の皮下脂肪厚さ、乳房形態の種類、体格指数ＢＭＩ及び乳房の柔らかさの種類の４つのパラメータを分析する。ユーザが乳房の２Ｄ又は３Ｄ写真を提供するとき、サーバは、２Ｄや３Ｄ写真における対象乳房に対する識別、強化、分割を行い、たとえば乳房形態の種類、体格の種類、下垂有無及び下垂程度、胸部変形の有無などのユーザによって提供された測定データと比較して分析し、ユーザから提供された胸部パラメータの信頼性を判断し、パラメータを校正する。
【００４３】
続いて、分析済みの脇下の皮下脂肪厚さ、乳房形態の種類、体格指数ＢＭＩ及び乳房の柔らかさの種類をデータベースマトリックスにおけるデータとマッチングし、マッチングした結果に応じてカップの大きさを校正して調整し、ブラジャーサイズの最終結果を得る。
【００４４】
脇下の皮下脂肪厚さは、胸部や背部の脂肪厚さを示し、脂肪層の厚さが１インチ以下である場合、通常のアルゴリズムを用い、１インチ以上に達する場合、１インチ増加するごとに、ストラップの長さを１インチ適切に短くし、カップサイズをハーフサイズ分増大してもよい。ユーザの着用の快適性を損なわずに、ブラジャーの包み効果を向上させ、運動中の乳房の大きな揺れを減少させる。
【００４５】
前記乳房の柔らかさは、半定量的に評価することができ、たとえば超柔軟、柔軟、適度、硬質に分けられる。乳房の柔らかさは、乳房成分の割合によって決定され、主に脂肪組織である場合は柔軟であり、主に乳腺組織である場合は硬質になる。主に脂肪組織であるユーザは、カップサイズを適切に減少してもよく、主に乳腺組織であるユーザは、カップサイズを適切に増大してもよく、このように、ユーザの着用の快適性を損なわずに、ブラジャーの包み効果を向上させ、運動中の乳房の大きな揺れを減少させる。
【００４６】
ステップ４において、サーバは、ブラジャーサイズの結果を呼び出してユーザのスマート端末に送信する。
【００４７】
サーバは、対応するブラジャーサイズの結果を呼び出してユーザスマート端末に送信するときに、必要なプロンプトを送信してもよい。必要なプロンプトは、異常結果に対する警報、ユーザへの再測定の提示、又はブラジャーのカスタマイズの提案、又はブラジャー設計者、整形外科専門家へのコンサルティングを含む。
【００４８】
図９Ａ〜図９Ｅに示すように、ユーザが取得したブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さである。両側乳房が非対称である場合、ブラジャーサイズの結果における左右側寸法は、それぞれ記載されており、ブラジャーサイズの結果は、ｃｍ又はｉｎｃｈの２種の単位で表現することができる。
【００４９】
たとえば、７５Ｂ（１５：７．５）／３２Ｂ（６：３）は、左右両側乳房の大きさと形態が近いことを示す。７５Ｂ（１５：７．５）の場合は、単位がセンチであり、ストラップの長さ７５ｃｍ、Ｂカップ、乳房の幅１５ｃｍ、乳房の高さ７．５ｃｍであり、３２Ｂ（６：３）の場合は、単位がインチであり、ストラップの長さ３２ｉｎｃｈ、Ｂカップ、乳房の幅６ｉｎｃｈ、乳房の高さ３ｉｎｃｈである。
【００５０】
Ｌ７５Ａ（１２．５：５．０）Ｒ７５Ｄ（１７．５：１０．０）／Ｌ３２Ａ（５：２）Ｒ３２Ｄ（７：４）は、両側乳房が非対称であることを示す。Ｌ７５Ａ（１２．５：５．０）Ｒ７５Ｄ（１７．５：１０．０）の場合は、単位がセンチであり、ストラップの長さ７５ｃｍ、Ｌ左側乳房Ａカップ、乳房の幅１２．５ｃｍ、乳房の高さ５．０ｃｍ、Ｒ右側乳房Ｄカップ、乳房の幅１７．５ｃｍ、乳房の高さ１０．０ｃｍである。Ｌ３２Ａ（５：２）Ｒ３２Ｄ（７：４）の場合は、単位がインチであり、ストラップの長さ３２ｉｎｃｈ、Ｌ左側乳房Ａカップ、乳房の幅５ｉｎｃｈ、乳房の高さ２ｉｎｃｈ、Ｒ右側乳房Ｄカップ、乳房の幅７ｉｎｃｈ、乳房の高さ４ｉｎｃｈである。
【００５１】
７２．５Ｂ＋（１２．５：７．５）／３１Ｂ＋（５：３）は、左右両側乳房の大きさと形態が近いことを示す。ストラップの長さは７２．５ｃｍ（３１ｉｎｃｈ）であり、Ｂ＋は、カップ寸法がＢカップよりも大きいが、Ｃカップまで達していないことを示し、乳房の幅は、１２．５ｃｍ（５ｉｎｃｈ）であり、乳房の高さは７．５ｃｍ（３ｉｎｃｈ）である。
【００５２】
ステップ５において、ユーザが、対応するサイズのブラジャーの着用状況をスマート端末によってサーバにフィードバックする。
【００５３】
ユーザは、推奨サイズに応じてブラジャーを選択又は注文し、実際に着用した後、サイズが体にピッタリしているか、又は大きい、又は小さいという結果を着用状況としてスマート端末によってサーバにフィードバックする。
【００５４】
ステップ６において、サーバは、ユーザによるフィードバック情報に基づいてデータベースの最適化処理を行う。
【００５５】
ユーザによるフィードバックデータ及びユーザが測定したパラメータデータに基づき、人工知能を利用し、データベースを最適化したり、測定パラメータを増減させたり、各パラメータの重みを修正したりする。前記人工知能は、機械学習、ディープ機械学習、マルチタスク学習を含む。前記最適化データベースとは、ユーザのデータ量の増大に伴って、データベースをより多くの階層に分割し、より多くの階層型データベースを作成することを意味する。前記した測定パラメータを増減させたり、各パラメータの重みを修正したりすることとは、使用状況に応じて、現在の測定パラメータ項目を調整し、サイズを計算するときの各パラメータの関与度を調整することを意味する。
【００５６】
以上の説明は、本発明の実施例に過ぎず、本発明の技術的範囲を限定するものではなく、したがって、本発明の技術的主旨に基づいて上記実施例に対して行われるすべての細かい修正、等価変化や修飾は、いずれも本発明の技術的範囲に属する。
【図１】
2020510271.tif 000003
【図２】
2020510271.tif 000004
【図３Ａ】
2020510271.tif 000005
【図３Ｂ】
2020510271.tif 000006
【図３Ｃ】
2020510271.tif 000007
【図３Ｄ】
2020510271.tif 000008
【図４】
2020510271.tif 000009
【図５】
2020510271.tif 000010
【図６】
2020510271.tif 000011
【図７】
2020510271.tif 000012
【図８Ａ】
2020510271.tif 000013
【図８Ｂ】
2020510271.tif 000014
【図８Ｃ】
2020510271.tif 000015
【図８Ｄ】
2020510271.tif 000016
【図８Ｅ】
2020510271.tif 000017
【図８Ｆ】
2020510271.tif 000018
【図９Ａ】
2020510271.tif 000019
【図９Ｂ】
2020510271.tif 000020
【図９Ｃ】
2020510271.tif 000021
【図９Ｄ】
2020510271.tif 000022
【図９Ｅ】
2020510271.tif 000023
【図１０Ａ】
2020510271.tif 000024
【図１０Ｂ】
2020510271.tif 000025
【図１０Ｃ】
2020510271.tif 000026
【図１０Ｄ】
2020510271.tif 000027
【図１１】
2020510271.tif 000028
【図１２】
2020510271.tif 000029
【図１３】
2020510271.tif 000030
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
人体胸部寸法の計測方法、ブラジャーサイズの選択及び実現方法であって、ユーザが測定した胸部計測パラメータをサーバにアップロードし、サーバが受信した胸部計測パラメータを分析してデータベースマトリックスとマッチングし、マッチングして得られた結果を対応するブラジャーサイズの結果とし、
前記胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ及び乳房の柔らかさの種類を含み、
前記データベースマトリックスは、脇下の皮下脂肪厚さ、乳房形態の種類、体格指数ＢＭＩ、乳房の柔らかさの種類、上胸囲、下胸囲、脇下胸囲、乳房の円弧長、乳房の幅及び乳房の高さで構築されるものであり、
前記ブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さであり、前記ストラップの長さは、下胸囲のパラメータによって決定され、前記乳房の幅は、乳房の幅のパラメータによって決定され、前記乳房の高さは、乳房の高さのパラメータによって決定され、前記カップは、上胸囲、下胸囲、乳房の円弧長さ、脇下の皮膚脂肪厚さ、乳房形態の種類、体格指数ＢＭＩ、乳房の柔らかさの種類、脇下胸囲、乳房の幅及び乳房の高さによって決定された後にデータベースマトリックスによって修正されたものであることを特徴とする、人体胸部寸法の計測方法、ブラジャーサイズの選択及び実現方法。
【請求項２】
前記胸部計測パラメータは、乳房の２Ｄ又は３Ｄ写真をさらに含み、サーバは、受信した胸部計測パラメータを分析するとき、乳房の２Ｄ又は３Ｄ写真における乳房に対する識別、強化、分割を行い、ユーザから提供された乳房形態の種類、体格の種類と比較して分析し、ユーザから提供された胸部計測パラメータの信頼性を判断し、パラメータを校正することを特徴とする、請求項１に記載の人体胸部寸法の計測方法、ブラジャーサイズの選択及び実現方法。
【請求項３】
人体胸部寸法の計測方法、ブラジャーサイズの選択及び実現方法であって、具体的には、以下のステップ１〜ステップ５を含み、
ステップ１において、ユーザは、乳房下垂状態のパラメータを測定し、下垂状態のパラメータをスマート端末によってサーバにアップロードし、
乳房下垂状態のパラメータは、下垂及び非下垂を含み、乳首を通る水平線が乳房の下境界線よりも高い場合、乳房が非下垂であり、乳首を通る水平線が乳房の下境界線と重なる又はそれよりも低い場合、乳房が下垂であり、
ステップ２において、サーバは、ユーザから提供された乳房下垂状態のパラメータに基づいてユーザが測定する必要がある他の胸部計測パラメータの測定方法をユーザに送信し、前記胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ及び乳房の柔らかさの種類を含み、
乳房下垂状態のパラメータが非下垂である場合、前記上胸囲は、立位で巻き尺が両側乳首又は胸部最突出点の平面を通って人体の胴体を一周する周長であり、
前記下胸囲は、立位で巻き尺が両側乳房下部の折り目平面を通って人体の胴体を一周する周長であり、
脇下胸囲は、立位で腰を両手でつかみ、巻き尺が両側脇下の平面を通って人体の胴体を一周する周長であり、
脇下の皮下脂肪厚さは、中腋窩線と乳首水平線との境界点で人差し指と親指が局所の全層皮膚及び皮下軟組織を掴んだときに測定した親指と人差し指との距離であり、
片側乳房の円弧長さと幅を測定するときに、片手で外側から内側へ乳房を押し、乳房と前胸壁との間の組織の境界線を取得し、片手で内側から外側へ乳房を押し、乳房と側胸壁との間の組織の境界線を取得し、そして、乳首水平線と、乳房と前胸壁との間の組織の境界線との境界点、及び、乳首水平線と、乳房と側胸壁との間の組織の境界線との境界点を取得し、乳首を通った前述２つの境界点間の長さを測定したものを乳房の円弧長さとし、前述２つの境界点間の直線距離を乳房の幅とし、
乳房の高さは、僅かに前へ軽く引いた状態で直接測定した乳首基部から胸壁までの垂直距離であり、
乳房形態の種類は、円盤状、半球状、水滴状、円錐形、管状、くちばし状を含み、
乳房の柔らかさは、半定量的に評価することができ、超柔軟、柔軟、適度、硬質に分けられ、
体格指数ＢＭＩは、体重（Ｋｇ）／身長（ｍ）の二乗であり、それぞれやせ、標準、太り及び肥満に分けられ、ユーザの体型を判断するためのものであり、
乳房下垂状態のパラメータが下垂である場合、上胸囲、下胸囲、脇下胸囲及び片側乳房の円弧長さと幅を測定するとき、両手で胸部を持ち上げて測定し、
ステップ３において、ユーザは測定した胸部計測パラメータをスマート端末によってサーバにアップロードし、上胸囲、下胸囲、脇下胸囲、脇下の皮下脂肪厚さ、片側乳房の円弧長さと幅、乳房の高さ、乳房形態の種類、体格指数ＢＭＩ、乳房の柔らかさの種類のパラメータを複数回の測定値の平均値としてサーバにアップロードし、
ステップ４において、サーバは、受信した胸部計測パラメータを分析し、次にデータベースマトリックスとマッチングし、マッチングして得られた結果を対応するブラジャーサイズの結果とし、
前記データベースマトリックスは、脇下の皮下脂肪厚さ、乳房形態の種類、体格指数ＢＭＩ、乳房の柔らかさの種類、上胸囲、下胸囲、脇下胸囲、乳房の円弧長、乳房の幅及び乳房の高さで構築されるものであり、
サーバは、ユーザから提供された脇下の皮下脂肪厚さ、乳房形態の種類、体格指数ＢＭＩ、乳房の柔らかさの種類、上胸囲パラメータ、下胸囲、乳房の円弧長さのパラメータ、脇下胸囲、乳房の幅及び乳房の高さを分析し、続いて分析済みの脇下の皮下脂肪厚さ、乳房形態の種類、体格指数ＢＭＩ、乳房の柔らかさの種類、上胸囲パラメータ、下胸囲、乳房の円弧長さのパラメータ、脇下胸囲、乳房の幅及び乳房の高さをデータベースマトリックスにおけるデータとマッチングし、マッチングした結果に応じてカップの大きさを調整し、ブラジャーサイズの最終結果を取得し、
ステップ５において、サーバは、ブラジャーサイズの結果を呼び出してユーザのスマート端末に送信し、
ユーザが取得したブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さであることを特徴とする、請求項１又は２に記載の人体胸部寸法の計測方法、ブラジャーサイズの選択及び実現方法。
【請求項４】
ステップ６とステップ７とをさらに含み、
ステップ６において、ユーザは、対応するサイズのブラジャーの着用状況をスマート端末によってサーバにフィードバックし、
ユーザは、推奨サイズに応じてブラジャーを選択又は注文し、実際に着用した後、ブラジャーサイズの着用効果をスマート端末によってサーバにフィードバックし、
ステップ７において、サーバは、ユーザによるフィードバック情報に基づいてデータベースの最適化処理を行い、
ユーザによるフィードバックデータ及びユーザが測定したパラメータデータに基づき、パラメータを修正することでデータベースを最適化させることを特徴とする、請求項３に記載の人体胸部寸法の計測方法、ブラジャーサイズの選択及び実現方法。
【手続補正２】
【補正対象書類名】明細書
【補正対象項目名】全文
【補正方法】変更
【補正の内容】
【発明の詳細な説明】
【技術分野】
【０００１】
本発明は、人体胸部寸法の計測方法、ブラジャーサイズの選択及び実現方法に関する。
【背景技術】
【０００２】
女性用ブラジャーサイズに関する規則は、１９３５年に確立されてから、工業化生産を促進し、ほとんどのニーズを満たしている。該ブラジャーサイズに関する規則は、胸部の測定及び計算を簡素化させ、カップやスタイルの数を減少させるが、女性の胸の形がさまざまであるため、測定結果が不正確になったり、間違ったサイズを選んだりする場合がある。
【０００３】
数年前の調査の結果として、８０％以上の女性が不適正なサイズのブラジャーを着用していることを見出した。数字は誇張しているように聞こえるかもしれない。ブラジャーは、女性が毎日着用しているものであるので、体に合うものはいずれ見つかるだろうと思われるが、実際的には、思春期、青年期、中高年期、老年期といったライフサイクル全体から見れば、現在、大多数の女性は、ブラジャーサイズを間違える迷惑を経験したことがあるか、又は、経験している。
【０００４】
ブラジャーのストラップに弾性材料が使用されているので、長さの測定方法がシンプルであり、自分の緩さの好みに応じてユーザが自分で調整できるが、ブラジャーのカップサイズが体に合わないことはよくある。主に、以下のような場合がある。
【０００５】
（１）女性乳房の形態が様々であるため、乳房の体積が近いであっても、同じカップのブラジャーについては、半球形又は水滴形の乳房のユーザに合うが、円盤状の乳房のユーザの場合は、乳房組織の分布範囲がカップを超えるため、一部の乳房組織がカップに収まられておらず、同時に、カップの先が余っていることになってしまい、管状の乳房又は明らかに垂れた乳房のユーザの場合は、乳房組織がブラジャーで圧迫され、乳腺疾患を誘発してしまうことがある。
【０００６】
（２）主として発育や遺伝的要因により、または疾患の原因で一側の乳房が完全に又は部分的に切除されたため、女性の両側の乳房の大きさが非対称になることがあり、しかし、測定したサイズが両側の平均値であるため、一側の乳房がカップで圧迫され、他側のカップが余っていることになってしまう。
【０００７】
（３）女性乳房の両側の高さが非対称である場合、一般的に測定したサイズが過大であるので、カップの乳房に対する被覆性が不十分である。
【０００８】
（４）中高年女性では、通常、程度が異なるが、乳腺下垂が発生しているため、測定したサイズの数値が小さくなり、着用するブラジャーのカップが小さくなり、これにより、一部の乳房組織が脇下に移動し、腋窩の局所に軟組織が蓄積され、いわゆる「副乳」が形成される。
【０００９】
（５）乳房の胸壁に対する位置については、乳房が一般的に胸壁の２〜６つ目のリブに位置し、同じ体積の乳房について、乳房の付着位置が上にずれると、視覚的に大きくなり、乳房の付着位置が下にずれると、視覚的に小さくなり、また、乳房の付着位置が上にずれると、大胸筋の関与度が大きくなり、乳房の付着位置が下にずれると、大胸筋の関与度が小さくなる。
【００１０】
（６）ブランドによってサイズや規格が異なり、ヨーロッパ版と日本版とが異なる以外、ブランドメーカーが異なると、サイズも同じではなく、ユーザが購入するとき、下着であるので、試着にも制限があり、様々な状態で長時間に試着できるわけがなく、そのため、サイズを正しく選択する確率がさらに低下してしまう。
【００１１】
（７）ブラジャーのサイズ及びカップ形状のデータについては、人々から所定数のモデルを選択して測定し、３Ｄ走査を行ってデータを抽出して、ブラジャーのサイズ及びカップ形状のシリーズを設計するため、代表性が十分ではない。
【００１２】
女性のブラジャーが体に合わなかったり、サイズが間違ったりする根本的な原因は、１９３５年から今まで使用されているブラジャー計測標準が簡単すぎることにあり、ブラジャーの設計者や生産者がより多くのサイズのブラジャーを製造しようとしても、より適切なサイズ参照体系がない。
【００１３】
本発明は、上記事情に鑑み、ユーザが体に合うブラジャーを容易に選択できるように、従来の測定方法及び表現方式の欠陥を解消し、女性それぞれに応じた胸部の高精度測定を実現する人体胸部寸法の計測方法、ブラジャーサイズの選択及び実現方法を提供する。
【発明の概要】
【発明が解決しようとする課題】
【００１４】
本発明の目的は、ユーザが体に合うブラジャーを容易に選択できるように、より正確なブラジャーサイズを取得することを可能にする胸部測定手段をユーザに提供するための人体胸部寸法の計測方法、ブラジャーサイズの選択及び実現方法を提供することである。
【課題を解決するための手段】
【００１５】
上記目的を実現するために、本発明が使用する技術案は、以下のとおりである。
【００１６】
人体胸部寸法の計測方法、ブラジャーサイズの選択及び実現方法であって、ユーザが測定した胸部計測パラメータをサーバにアップロードし、サーバが受信した胸部計測パラメータを分析してデータベースマトリックスとマッチングし、マッチングして得られた結果を対応するブラジャーサイズの結果とし、前記胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ及び乳房の柔らかさの種類を含み、前記データベースマトリックスは、脇下の皮下脂肪厚さ、乳房形態の種類、体格指数ＢＭＩ、乳房の柔らかさの種類、上胸囲、下胸囲、脇下胸囲、乳房の円弧長さ、乳房の幅及び乳房の高さで構築されるものであり、前記ブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さであり、前記ストラップの長さは、下胸囲のパラメータによって決定され、前記乳房の幅は、乳房の幅のパラメータによって決定され、前記乳房の高さは、乳房の高さのパラメータによって決定され、前記カップは、上胸囲、下胸囲、乳房の円弧長さ、脇下の皮膚脂肪厚、乳房形態の種類、体格指数ＢＭＩ、乳房の柔らかさの種類、脇下胸囲、乳房の幅及び乳房の高さによって決定された後にデータベースマトリックスによって修正されたものである。
【００１７】
前記胸部計測パラメータは、乳房の２Ｄ又は３Ｄ写真をさらに含み、サーバは、受信した胸部計測パラメータを分析するとき、乳房の２Ｄ又は３Ｄ写真における乳房に対する識別、強化、分割を行い、ユーザから提供された乳房形態の種類、体格の種類と比較して分析し、ユーザから提供された胸部計測パラメータの信頼性を判断し、パラメータを校正する。
【００１８】
前記方法は、具体的には、ステップ１〜ステップ５を含み、
ステップ１において、ユーザは、乳房下垂状態のパラメータを測定し、下垂状態パラメータをスマート端末によってサーバにアップロードし、
乳房下垂状態のパラメータは、下垂及び非下垂を含み、乳首を通る水平線が乳房の下境界線よりも高い場合、乳房が非下垂であり、乳首を通る水平線が乳房の下境界線と重なる又はそれよりも低い場合、乳房が下垂であり、
ステップ２において、サーバは、ユーザから提供された乳房下垂状態のパラメータに基づいてユーザが測定する必要がある他の胸部計測パラメータの測定方法をユーザに送信し、前記胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ及び乳房の柔らかさの種類を含み、
乳房下垂状態のパラメータが非下垂である場合、
前記上胸囲は、立位で巻き尺が両側乳首又は胸部最突出点の平面を通って人体の胴体を一周する周長であり、
前記下胸囲は、立位で巻き尺が両側乳房下部の折り目平面を通って人体の胴体を一周する周長であり、
脇下胸囲は、立位で腰を両手でつかみ、巻き尺が両側脇下の平面を通って人体の胴体を一周する周長であり、
脇下の皮下脂肪厚さは、中腋窩線と乳首水平線との境界点で人差し指と親指が局所の全層皮膚及び皮下軟組織を掴んだときに測定した親指と人差し指との距離であり、
片側乳房の円弧長さと幅を測定するときに、片手で外側から内側へ乳房を押し、乳房と前胸壁との間の組織の境界線を取得し、片手で内側から外側へ乳房を押し、乳房と側胸壁との間の組織の境界線を取得し、そして、乳首水平線と、乳房と前胸壁との間の組織の境界線との境界点、及び、乳首水平線と、乳房と側胸壁との間の組織の境界線との境界点を取得し、乳首を通った前述２つの境界点間の長さを測定したものを乳房の円弧長さとし、前述２つの境界点間の直線距離を乳房の幅とし、
乳房の高さは、僅かに前へ軽く引いた状態で直接測定した乳首基部から胸壁までの垂直距離であり、
乳房形態の種類は、円盤状、半球状、水滴状、円錐形、管状、くちばし状を含み、
乳房の柔らかさは、半定量的に評価することができ、超柔軟、柔軟、適度、硬質に分けられ、
体格指数ＢＭＩは、体重（Ｋｇ）／身長（ｍ）の二乗であり、それぞれやせ、標準、太り及び肥満に分けられ、ユーザの体型を判断するためのものであり、
乳房下垂状態のパラメータが下垂である場合、上胸囲、下胸囲、脇下胸囲及び片側乳房の円弧長さと幅を測定するとき、両手で胸部を持ち上げて測定し、
ステップ３において、ユーザは、測定した胸部計測パラメータをスマート端末によってサーバにアップロードし、上胸囲、下胸囲、脇下胸囲、脇下の皮下脂肪厚さ、片側乳房の円弧長さと幅、乳房の高さ、乳房形態の種類、体格指数ＢＭＩ、乳房の柔らかさの種類のパラメータを複数回の測定値の平均値としてサーバにアップロードし、
ステップ４において、サーバは、受信した胸部計測パラメータを分析し、次にデータベースマトリックスとマッチングし、マッチングして得られた結果を対応するブラジャーサイズの結果とし、
前記データベースマトリックスは、脇下の皮下脂肪厚さ、乳房形態の種類、体格指数ＢＭＩ、乳房の柔らかさの種類、上胸囲、下胸囲、脇下胸囲、乳房の円弧長さ、乳房の幅及び乳房の高さで構築されるものであり、
サーバは、ユーザから提供された脇下の皮下脂肪厚さ、乳房形態の種類、体格指数ＢＭＩ及び乳房の柔らかさの種類、上胸囲、下胸囲、脇下胸囲、乳房の円弧長さ、乳房の幅及び乳房の高さを分析し、続いて分析済みのパラメータをデータベースマトリックスにおけるデータとマッチングし、マッチングした結果に応じてカップの大きさを調整し、ブラジャーサイズの最終結果を取得し、
ステップ５において、サーバは、ブラジャーサイズの結果を呼び出してユーザのスマート端末に送信し、
ユーザが取得したブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さである。
【００１９】
前記方法は、ステップ６とステップ７とをさらに含み、
ステップ６において、ユーザは、対応するサイズのブラジャーの着用状況をスマート端末によってサーバにフィードバックし、
ユーザは、推奨サイズに応じてブラジャーを選択又は注文し、実際に着用した後、ブラジャーサイズの着用効果をスマート端末によってサーバにフィードバックし、
ステップ７において、サーバは、ユーザによるフィードバック情報に基づいてデータベースの最適化処理を行い、
ユーザによるフィードバックデータ及びユーザが測定したパラメータデータに基づき、パラメータを修正することでデータベースを最適化させる。
【発明の効果】
【００２０】
本発明は、測定した胸部計測パラメータをユーザのスマート端末によってサーバにアップロードし、サーバにより該胸部計測パラメータに対して分析、分類、マッチングを行い、対応するブラジャーサイズを得て、得られたブラジャーサイズをスマート端末に送信することで、ストラップの長さ、カップ、乳房の幅及び乳房の高さを含む正確なブラジャーサイズをユーザに提供することができ、ユーザがより体に合うブラジャーを選択することを容易にする。
【図面の簡単な説明】
【００２１】
【図１】立位での上胸囲、下胸囲及び脇下胸囲の測定模式図である。
【図２】立位での脇下の皮下脂肪厚さの測定模式図である。
【図３】図３Ａは片側乳房の円弧長さと幅の測定模式図１であり、図３Ｂは片側乳房の円弧長さと幅の測定模式図２であり、図３Ｃは片側乳房の円弧長さの測定模式図であり、図３Ｄは片側乳房の幅の測定模式図である。
【図４】臥位での上胸囲の測定模式図である。
【図５】臥位での片側乳房の円弧長さの測定模式図である。
【図６】胸部が下垂した人の上胸囲の測定模式図である。
【図７】胸部が下垂した人の片側乳房の円弧長さの測定模式図である。
【図８】乳房形態の種類である。
【図９】図９Ａは非対称乳房タイプ１であり、図９Ｂは非対称乳房タイプ２であり、図９Ｃは非対称乳房タイプ３であり、図９Ｄは非対称乳房タイプ４であり、図９Ｅは非対称乳房タイプ５である。
【図１０】図１０Ａは乳房下垂の模式図１であり、図１０Ｂは乳房下垂の模式図２であり、図１０Ｃは乳房下垂の模式図３であり、図１０Ｄは乳房下垂の模式図４である。
【図１１】乳房の高さを直接測定する場合の模式図である。
【図１２】ブラジャーサイズを取得するフローチャートである。
【図１３】胸部計測パラメータを処理するフローチャートである。
【発明を実施するための形態】
【００２２】
本発明の技術的内容、構造的特徴、達成する目的及び効果を詳細に説明するために、以下、明細書の図面を参照しながら実施例を挙げて詳細に説明する。
【００２３】
図１〜図１３に示すように、本発明には、人体胸部寸法の計測方法、ブラジャーサイズの選択及び実現方法が開示されている。ここで、測定した胸部計測パラメータをユーザのスマート端末によってサーバにアップロードし、サーバにより該胸部計測パラメータに対して分析、分類、マッチングを行い、対応するブラジャーサイズを得て、そして、得られたブラジャーサイズをスマート端末に送信することで、ストラップの長さ、カップ、乳房の幅及び乳房の高さを含む正確なブラジャーサイズをユーザに提供することができ、ユーザがより体に合うブラジャーを選択することを容易にする。本発明の方法は、具体的には、ステップ１〜ステップ５を含む。
【００２４】
ステップ１において、ユーザが乳房下垂状態のパラメータを測定し、下垂状態のパラメータをスマート端末によってサーバにアップロードする。
【００２５】
図１０Ａ〜図１０Ｄに示すように、乳房下垂状態のパラメータは、下垂と非下垂を含み、乳首を通る水平線１が乳房の下境界線２よりも高い場合、乳房が非下垂であり、乳首を通る水平線１が乳房の下境界線２と重なる又はそれよりも低い場合、乳房が下垂である。
【００２６】
ステップ２において、サーバは、ユーザから提供された乳房下垂状態のパラメータに基づいてユーザが測定する必要がある他の胸部計測パラメータの測定方法をユーザに送信し、必要に応じて、ユーザの測定をより直観的にするように、測定模式図をユーザに送信してもよい。
【００２７】
ユーザが測定する必要がある胸部計測パラメータは、上胸囲、下胸囲、脇下胸囲、脇下の皮下脂肪厚さ、片側乳房の円弧長さと幅、乳房の高さ、乳房形態の種類、体格指数ＢＭＩ、乳房の柔らかさの種類及び乳房の２Ｄ又は３Ｄ像を含む。
【００２８】
ユーザが各胸部計測パラメータを測定するとき、上半身の服や物品を取り外し、両足を肩幅に広げてまっすぐに立つ体位、胴体前傾位及び水平臥位から選ばれるいずれか１つの体位で測定する。乳房が下垂していない人の場合、図１〜図５に示すように、自分で又は他人が協力して測定することができる。図１０Ａ〜図１０Ｄに示すような乳房下垂者の場合、図６及び図７に示すように、ユーザが乳房の下垂部分全体を乳房下溝よりも高くするまで乳房を両手で持ち上げながら、他人が協力して測定する。
【００２９】
図１に示すように、立位で上胸囲を巻き尺で測定する場合、巻き尺が両側乳首又は胸部の最突出点の平面を通って人体胴体を一周するようにする必要があり、このように得られた周長は上胸囲となる。立位で下胸囲を測定する場合、巻き尺が両側乳房下部の折り目平面を通って人体胴体を一周し、このように得られた周長は、下胸囲となる。立位で脇下胸囲を測定する場合、両手で腰をつかみ、巻き尺が両側脇下の平面を通って人体胴体を一周する必要があり、このように得られた周長は、脇下胸囲となる。脇下胸囲は、胸部の筋肉の発達状況を判断し、且つフルカップのブラジャーパラメータを作成するためのものである。
【００３０】
上胸囲、下胸囲及び脇下胸囲は、たらふく食べた後又は最大限の深呼吸の最後に極大値となり、空腹又は最大限の呼気の最後に極小値となる。しかし、実際に測定する過程において、上胸囲、下胸囲及び脇下胸囲は、いずれも食べてから２時間後に、均一に呼吸する状態で測定した値を基準とする。
【００３１】
図２は、脇下の皮下脂肪厚さの測定模式図であり、図２に示すように、脇下の皮下脂肪厚さとは、中腋窩線と乳首水平線との境界点で人差し指と親指が局所の全層皮膚及び皮下軟組織を掴んだときに測定した親指と人差し指との距離を意味する。
【００３２】
図３Ａ−図３Ｄは、片側乳房の円弧長さと幅の測定模式図であり、測定するときに、片手で外側から内側へ乳房を押し、乳房と前胸壁との間の組織の境界線３を取得し、片手で内側から外側へ乳房を押し、乳房と側胸壁との間の組織の境界線４を取得し、そして、乳首水平線と、乳房と前胸壁との間の組織の境界線３との境界点、及び、乳首水平線と、乳房と側胸壁との間の組織の境界線４との境界点を取得し、乳首を通った前述２つの境界点間の長さを測定したものが乳房の円弧長さとなり、前述２つの境界点間の直線距離が乳房の幅となる。片側乳房の円弧長さ、乳房の幅を測定し、乳房形態と組み合わせることにより、乳房の略体積を取得することができ、乳房体積を取得すると、豊胸術又は乳房縮小手術の効果、ダイエットや体重増加の効果、乳房腫瘍又は膿瘍の成長速度を計ったり、カップの選択を指導したりすることができ、なお、片側乳房の円弧長さ、乳房の幅は、一般的に使用される巻き尺で測定できる。
【００３３】
図１１は、乳房の高さを直接に測定する場合の模式図であり、前記乳房の高さとは、僅かに前へ引いた状態で直接測定した乳首基部から胸壁までの垂直距離を意味する。
【００３４】
図８に示すように、前記乳房形態の種類は、円盤状、半球状、水滴状、円錐形、管状、くちばし状を含み、該乳房形態は、ユーザが自分で判断して提供してもよい。
【００３５】
前記乳房の柔らかさは、半定量的に評価することができ、たとえば超柔軟、柔軟、適度、硬質に分けられる。
【００３６】
体格指数ＢＭＩは、体重（Ｋｇ）／身長（ｍ）の二乗であり、ユーザの体型がスリムであるか又は肥満であるかを判断するものである。
【００３７】
ステップ３において、ユーザが測定した胸部計測パラメータをスマート端末によってサーバにアップロードする。
【００３８】
ユーザは、測定した胸部計測パラメータを携帯電話、コンピュータなどのスマート端末に入力し、スマート端末によってこれらのデータをサーバに伝送する。アップロードするパラメータは、複数回測定したものの平均値であってもよい。たとえば、実際に使用する際、パラメータ値ごとに３回測定し、そして、３回の測定値の平均値をスマート端末によってサーバにアップロードしてもよく、パラメータごとに３回測定し、３回の測定値をスマート端末によってサーバにアップロードし、サーバによってそれらの平均値を算出するようにしてもよい。
【００３９】
ステップ４において、サーバが受信した胸部計測パラメータを分析して分類した後、データベースマトリックスとマッチングし、マッチングして得られた結果を対応するブラジャーサイズ結果とする。
【００４０】
前記データベースマトリックスは、脇下の皮下脂肪厚さ、乳房形態の種類、体格指数ＢＭＩ、乳房の柔らかさの種類、上胸囲、下胸囲、脇下胸囲、乳房の円弧長さ、乳房の幅及び乳房の高さから構成される。該データベースマトリックスは、各種文献に記載された信頼性が高い対応するタイプの人々の実測数値を収集して構築されるものである。前記実測数値には、ユーザがスマート端末によってサーバに提供した実測データも含む。前記した各種文献の信頼性は、文献の権威性、データサンプルの容量、人間の個体群や国家の多様性によって決定される。
【００４１】
ブラジャーサイズは、ストラップの長さ、カップ、乳房の幅及び乳房の高さを含み、ストラップの長さは、ユーザから提供された下胸囲のパラメータによって決定され、カップは、ユーザから提供された上胸囲パラメータ、下胸囲のパラメータ、乳房の円弧長さのパラメータ、脇下胸囲、脇下の皮膚脂肪厚、乳房の幅、乳房の高さ、乳房形態の種類、体格指数ＢＭＩ、及び乳房の柔らかさの種類によって共同で決定され、乳房の幅は、ユーザから提供された乳房の幅によって決定され、乳房の高さは、ユーザから提供された乳房の高さのパラメータによって決定される。そのうち、カップの間隔は、２．５４センチ又は１インチから１．２７センチ又は０．５インチに調整され、カップの大きさは、依然としてＡＢＣＤＥＦＧＨＩで示されているが、ハーフサイズが含まれる。
【００４２】
サーバは、ユーザから提供された脇下の皮下脂肪厚さ、乳房形態の種類、体格指数ＢＭＩ、乳房の柔らかさの種類、上胸囲パラメータ、下胸囲、乳房の円弧長さのパラメータ、脇下胸囲、乳房の幅及び乳房の高さを分析する。ユーザが乳房の２Ｄ又は３Ｄ写真を提供するとき、サーバは、２Ｄや３Ｄ写真における対象乳房に対する識別、強化、分割を行い、たとえば乳房形態の種類、体格の種類、下垂有無及び下垂程度、胸部変形の有無などのユーザによって提供された測定データと比較して分析し、ユーザから提供された胸部計測パラメータの信頼性を判断し、パラメータを校正する。
【００４３】
続いて、分析済みの脇下の皮下脂肪厚さ、乳房形態の種類、体格指数ＢＭＩ、乳房の柔らかさの種類、上胸囲パラメータ、下胸囲、乳房の円弧長さのパラメータ、脇下胸囲、乳房の幅及び乳房の高さをデータベースマトリックスにおけるデータとマッチングし、マッチングした結果に応じてカップの大きさを校正して調整し、ブラジャーサイズの最終結果を得る。
【００４４】
脇下の皮下脂肪厚さは、胸部や背部の脂肪厚さを示し、脂肪層の厚さが１インチ以下である場合、通常のアルゴリズムを用い、１インチ以上に達する場合、１インチ増加するごとに、ストラップの長さを１インチ適切に短くし、カップサイズをハーフサイズ分増大してもよい。ユーザの着用の快適性を損なわずに、ブラジャーの包み効果を向上させ、運動中の乳房の大きな揺れを減少させる。
【００４５】
前記乳房の柔らかさは、半定量的に評価することができ、たとえば超柔軟、柔軟、適度、硬質に分けられる。乳房の柔らかさは、乳房成分の割合によって決定され、主に脂肪組織である場合は柔軟であり、主に乳腺組織である場合は硬質になる。主に脂肪組織であるユーザは、カップサイズを適切に減少してもよく、主に乳腺組織であるユーザは、カップサイズを適切に増大してもよく、このように、ユーザの着用の快適性を損なわずに、ブラジャーの包み効果を向上させ、運動中の乳房の大きな揺れを減少させる。
【００４６】
ステップ５において、サーバは、ブラジャーサイズの結果を呼び出してユーザのスマート端末に送信する。
【００４７】
サーバは、対応するブラジャーサイズの結果を呼び出してユーザスマート端末に送信するときに、必要なプロンプトを送信してもよい。必要なプロンプトは、異常結果に対する警報、ユーザへの再測定の提示、又はブラジャーのカスタマイズの提案、又はブラジャー設計者、整形外科専門家へのコンサルティングを含む。
【００４８】
図９Ａ〜図９Ｅに示すように、ユーザが取得したブラジャーサイズは、Ｌｘｙ（ｚ１：ｚ２）Ｒｘｙ（ｚ１：ｚ２）であり、ここで、Ｌは左側乳房、Ｒは右側乳房、ｘはストラップの長さ、ｙは片側カップのサイズ、ｚ１は片側乳房の幅、ｚ２は片側乳房の高さである。両側乳房が非対称である場合、ブラジャーサイズの結果における左右側寸法は、それぞれ記載されており、ブラジャーサイズの結果は、ｃｍ又はｉｎｃｈの２種の単位で表現することができる。
【００４９】
たとえば、７５Ｂ（１５：７．５）／３２Ｂ（６：３）は、左右両側乳房の大きさと形態が近いことを示す。７５Ｂ（１５：７．５）の場合は、単位がセンチであり、ストラップの長さ７５ｃｍ、Ｂカップ、乳房の幅１５ｃｍ、乳房の高さ７．５ｃｍであり、３２Ｂ（６：３）の場合は、単位がインチであり、ストラップの長さ３２ｉｎｃｈ、Ｂカップ、乳房の幅６ｉｎｃｈ、乳房の高さ３ｉｎｃｈである。
【００５０】
Ｌ７５Ａ（１２．５：５．０）Ｒ７５Ｄ（１７．５：１０．０）／Ｌ３２Ａ（５：２）Ｒ３２Ｄ（７：４）は、両側乳房が非対称であることを示す。Ｌ７５Ａ（１２．５：５．０）Ｒ７５Ｄ（１７．５：１０．０）の場合は、単位がセンチであり、ストラップの長さ７５ｃｍ、Ｌ左側乳房Ａカップ、乳房の幅１２．５ｃｍ、乳房の高さ５．０ｃｍ、Ｒ右側乳房Ｄカップ、乳房の幅１７．５ｃｍ、乳房の高さ１０．０ｃｍである。Ｌ３２Ａ（５：２）Ｒ３２Ｄ（７：４）の場合は、単位がインチであり、ストラップの長さ３２ｉｎｃｈ、Ｌ左側乳房Ａカップ、乳房の幅５ｉｎｃｈ、乳房の高さ２ｉｎｃｈ、Ｒ右側乳房Ｄカップ、乳房の幅７ｉｎｃｈ、乳房の高さ４ｉｎｃｈである。
【００５１】
７２．５Ｂ＋（１２．５：７．５）／３１Ｂ＋（５：３）は、左右両側乳房の大きさと形態が近いことを示す。ストラップの長さは７２．５ｃｍ（３１ｉｎｃｈ）であり、Ｂ＋は、カップ寸法がＢカップよりも大きいが、Ｃカップまで達していないことを示し、乳房の幅は、１２．５ｃｍ（５ｉｎｃｈ）であり、乳房の高さは７．５ｃｍ（３ｉｎｃｈ）である。
【００５２】
ステップ６において、ユーザが、対応するサイズのブラジャーの着用状況をスマート端末によってサーバにフィードバックする。
【００５３】
ユーザは、推奨サイズに応じてブラジャーを選択又は注文し、実際に着用した後、サイズが体にピッタリしているか、又は大きい、又は小さいという結果を着用状況としてスマート端末によってサーバにフィードバックする。
【００５４】
ステップ７において、サーバは、ユーザによるフィードバック情報に基づいてデータベースの最適化処理を行う。
【００５５】
ユーザによるフィードバックデータ及びユーザが測定したパラメータデータに基づき、人工知能を利用し、データベースを最適化したり、測定パラメータを増減させたり、各パラメータの重みを修正したりする。前記人工知能は、機械学習、ディープ機械学習、マルチタスク学習を含む。前記最適化データベースとは、ユーザのデータ量の増大に伴って、データベースをより多くの階層に分割し、より多くの階層型データベースを作成することを意味する。前記した測定パラメータを増減させたり、各パラメータの重みを修正したりすることとは、使用状況に応じて、現在の測定パラメータ項目を調整し、サイズを計算するときの各パラメータの関与度を調整することを意味する。
【００５６】
以上の説明は、本発明の実施例に過ぎず、本発明の技術的範囲を限定するものではなく、したがって、本発明の技術的主旨に基づいて上記実施例に対して行われるすべての細かい修正、等価変化や修飾は、いずれも本発明の技術的範囲に属する。
【国際調査報告】
2020510271.tif 000031
2020510271.tif 000032
2020510271.tif 000033
2020510271.tif 000034
2020510271.tif 000035
2020510271.tif 000036